(57)【要約】【課題】マスメディアと連動させることによって、Ｗｅｂサイトの価値を向上させる方法を提供すること。【解決手段】本発明の方法は、マスメディアと連動させることによって、Ｗｅｂサイトの価値を向上させる方法であって、該Ｗｅｂサイトが、該マスメディアに出演した社長の映像を含む映像コンテンツを閲覧するサービスを提供することと、該Ｗｅｂサイトが、該Ｗｅｂサイトの会員である社長に関する情報を検索するサービスを提供することと、該Ｗｅｂサイトが、該Ｗｅｂサイトの会員である社長に関する質問を受け付け、その質問に回答するサービスを提供することとを包含する。【選択図】図１
2008009783.tif 000002
【特許請求の範囲】
【請求項１】
マスメディアと連動させることによって、Ｗｅｂサイトの価値を向上させる方法であって、
該Ｗｅｂサイトが、該マスメディアに出演した社長の映像を含む映像コンテンツを閲覧するサービスを提供することと、
該Ｗｅｂサイトが、該Ｗｅｂサイトの会員である社長に関する情報を検索するサービスを提供することと、
該Ｗｅｂサイトが、該Ｗｅｂサイトの会員である社長に関する質問を受け付け、その質問に回答するサービスを提供することと
を包含する、方法。
【請求項２】
前記マスメディアは、テレビの番組である、請求項１に記載の方法。
【発明の詳細な説明】
【技術分野】
【０００１】
本発明は、テレビ、ラジオ、新聞、雑誌などのマスメディアと連動させることによって、Ｗｅｂサイトの価値を向上させる方法に関する。
【背景技術】
【０００２】
従来、テレビの番組に対応して運営されているＷｅｂサイトが存在した。
【発明の開示】
【発明が解決しようとする課題】
【０００３】
しかし、このようなＷｅｂサイトは、テレビの番組で放送された映像を配信するサービスや、テレビの番組宣伝に関する情報を配信するサービスを提供しているにすぎなかった。このため、そのＷｅｂサイトへのアクセス数は、テレビの番組の視聴率にほぼ比例していた。このように、従来の技術では、テレビの番組の価値以上にＷｅｂサイトの価値を高める工夫がなされていなかった。
【０００４】
本発明は、テレビ、ラジオ、新聞、雑誌などのマスメディアと連動させることによって、Ｗｅｂサイトの価値を向上させる方法を提供することを目的とする。
【課題を解決するための手段】
【０００５】
本発明の方法は、マスメディアと連動させることによって、Ｗｅｂサイトの価値を向上させる方法であって、該Ｗｅｂサイトが、該マスメディアに出演した社長の映像を含む映像コンテンツを閲覧するサービスを提供することと、該Ｗｅｂサイトが、該Ｗｅｂサイトの会員である社長に関する情報を検索するサービスを提供することと、該Ｗｅｂサイトが、該Ｗｅｂサイトの会員である社長に関する質問を受け付け、その質問に回答するサービスを提供することとを包含し、これにより、上記目的が達成される。
【０００６】
前記マスメディアは、テレビの番組であってもよい。
【発明の効果】
【０００７】
本発明によれば、テレビ、ラジオ、新聞、雑誌などのマスメディアと連動させることによって、Ｗｅｂサイトの価値を向上させる方法を提供することができる。
【発明を実施するための最良の形態】
【０００８】
以下、図面を参照しながら、本発明の実施の形態を説明する。
【０００９】
１．Ｗｅｂサイトの概要
図１は、本発明の実施形態のＷｅｂサイト１の構成の一例を示す。
【００１０】
Ｗｅｂサイト１は、映像コンテンツデータベース２と、社長データベース３と、質問データベース４と、回答データベース５とを有している。
【００１１】
Ｗｅｂサイト１は、映像コンテンツ閲覧サービス６と、社長検索サービス７と、ＦＡＱ（Ｆｒｅｑｕｅｎｔｌｙ  Ａｓｋｅｄ  Ｑｕｅｓｔｉｏｎ）サービス８とを少なくとも提供する。これらのサービスは、１以上のプロセッサが１以上のプログラムを実行することによって実現され得る。これらのサービスは、ネットワーク９を介してＷｅｂサイト１の会員または非会員に提供される。Ｗｅｂサイト１の会員または非会員は、上場企業の社長、ベンチャー企業の社長、企業家指向者（学生）、企業家指向者（サラリーマン）などを含む。
【００１２】
また、Ｗｅｂサイト１は、ＳＮＳ（Ｓｏｃｉａｌ  Ｎｅｔｗｏｒｋｉｎｇ  Ｓｉｔｅ）のサービスを利用可能とすることにより、会員同士の交流の場を提供する。
【００１３】
図２は、Ｗｅｂサイト１のトップページの一例を示す。図２に示される例では、Ｗｅｂサイト１の会員である社長の映像が１６人分表示されている。１６人の社長は、テレビの特定の番組（例えば、「賢者の選択」という番組）に出演した社長であってもよいし、その他の社長であってもよい。社長の映像に隣接して１以上のバナー広告を表示するようにしてもよい。なお、Ｗｅｂサイト１のトップページに表示される社長の人数が１６人に限定されないことは言うまでもない。
【００１４】
２．映像コンテンツ閲覧サービス
映像コンテンツデータベース２には、テレビの特定の番組に出演した社長の映像を含む映像コンテンツや、テレビ番組に出演していないがＷｅｂサイト１の会員である社長の映像を含む映像コンテンツが格納されている。ここで、社長の映像とは、例えば、社長のインタビュー映像である。なお、映像コンテンツの閲覧時に映像コンテンツのすべてが映像コンテンツデータベース２に格納されている必要はない。映像コンテンツを受信しながら、映像コンテンツを閲覧することを可能とする方式（例えば、ストリーミング形式で映像コンテンツを配信する方式）を採用することが好ましい。
【００１５】
Ｗｅｂサイト１は、映像コンテンツデータベース２に格納されている映像コンテンツを閲覧する映像コンテンツ閲覧サービスを提供する。映像コンテンツの閲覧は、会員、非会員を問わず行うことができるが、映像コンテンツのダウンロードは不可とされている。
【００１６】
図３は、映像コンテンツ閲覧サービスを提供するためのページの一例を示す。例えば、図２に示されるトップページから図３に示されるページに遷移することが可能である。図３に示される例では、リストボックスを用いて選択した社長の映像を閲覧可能としている。社長の映像へのアクセス数を取り出せる仕組みとし、ランキングページと連動させるようにしてもよい。アクセスログを取得し、時間別、映像別に統計情報を作成するようにしてもよい。なお、社長の映像を選択する手段としてリストボックス以外の手段（例えば、コンボボックス）を用いてもよいことは言うまでもない。
【００１７】
３．社長検索サービス
社長データベース３には、Ｗｅｂサイト１の会員である社長の情報（例えば、氏名、会社名、出身地、年齢、性別、独身、既婚、出身校、事業内容といった基本情報や、趣味、愛車、車の保有台数、最近読んだ本、一日のメールの数、出演テレビ番組、会社資本金といったプロフィールなど）が格納されている。Ｗｅｂサイト１の会員である社長は、有料会員の社長であるか無料会員の社長であるかを問わない。
【００１８】
Ｗｅｂサイト１は、社長データベース３に格納されている社長の情報を検索する社長検索サービスを提供する。
【００１９】
図４は、社長検索サービスを提供するためのページの一例を示す。例えば、図２に示されるトップページから図４に示されるページに遷移することが可能である。図４に示される例では、検索ページに検索条件を入力し、検索ボタンをクリックすることによって社長の情報を検索可能としている。検索条件に合致する社長の詳細情報を検索ページとは別の社長詳細ページに表示するようにしてもよい。社長詳細ページには、社長の写真画像を表示し、社長のインタビュー映像が存在する場合には、そのインタビューページにリンクする仕組みとしてもよい。社長詳細ページから、すでに存在している社長のブログのサイトや、経営している会社のホームページにリンク可能としてもよい。社長の情報へのアクセス数を取り出せる仕組みとし、ランキングページと連動させるようにしてもよい。
【００２０】
４．ＦＡＱサービス
質問データベース４には、Ｗｅｂサイト１の会員から投稿された質問が格納される。これらの質問は、管理者のチェックを受けてからホームページ上で公開される。質問に対する回答は、Ｗｅｂサイト１の会員である社長または専門家が行う。回答データベース５には、質問に対する回答が格納される。
【００２１】
Ｗｅｂサイト１は、Ｗｅｂサイト１の会員である社長に関する質問を受け付け、その質問に回答するＦＡＱサービスを提供する。
【００２２】
図５は、ＦＡＱサービスを提供するためのページの一例を示す。例えば、図２に示されるトップページから図５に示されるページに遷移することが可能である。図５に示される例では、Ｗｅｂサイト１の会員である社長に関する質問一覧を表示し、その質問一覧に含まれる質問のそれぞれに対する回答を質問詳細ページまたは質問・回答詳細ページに表示する。質問が投稿されたことの連絡は、ＳＮＳの仕組みを利用し、社長や専門家がＳＮＳにログインした際に、関連した質問が届いていることを示す連絡表示を行うようにしてもよい。質問、回答へのアクセス数を取り出せる仕組みとし、ランキングページと連動させるようにしてもよい。質問、回答への評価（例えば、参考になった、役にたたなかったなど）を集計することができる仕組みとし、ランキングページと連動させるようにしてもよい。質問データベース４に格納されている質問を検索するための質問検索ページを設けるようにしてもよい。例えば、質問検索ページに、質問カテゴリー、タイトルキーワード、本文キーワードなどの検索条件を入力し、検索ボタンをクリックすることによって質問を検索可能としてもよい。質問カテゴリーの例としては、例えば、社長への質問、弁護士への質問、税理士への質問、起業に関する質問、部下に関する質問、経営に関する質問などが挙げられる。質問内容の閲覧は、会員、非会員を問わず行うことができるが、回答内容の閲覧は、会員のみに対して行うことができるようにしてもよい。
【００２３】
このように、社長が出演するテレビの番組に連動させて、上述した映像コンテンツ閲覧サービス、社長検索サービス、ＦＡＱサービスなどのさまざまサービスをＷｅｂサイト１が提供することにより、Ｗｅｂサイト１の会員である社長の登録数を増大させることができる。Ｗｅｂサイト１の会員として登録しておくことにより、Ｗｅｂサイト１内では、テレビの番組に出演している有名な社長と同列に紹介してもらうことが可能となるからである。また、将来、テレビの番組への出演依頼がくることを期待することもできるからである。このように、Ｗｅｂサイト１の会員である社長の登録数を増大させることにより、Ｗｅｂサイト１の価値が向上するため、Ｗｅｂサイト１の非会員である一般ユーザによるＷｅｂサイト１へのアクセス数を増大させることができる。その結果、Ｗｅｂサイト１の価値をますます向上させることが可能になる。
【００２４】
なお、上述した実施形態では、社長が出演するテレビの番組に連動させて、映像コンテンツ閲覧サービス、社長検索サービス、ＦＡＱサービスをＷｅｂサイト１が提供する例を説明したが、本発明は、この例に限定されない。社長を紹介するマスメディア（テレビ、ラジオ、新聞、雑誌など）に連動させて、映像コンテンツ閲覧サービス、社長検索サービス、ＦＡＱサービスをＷｅｂサイト１が提供することによっても、上述した効果と同様の効果を得ることができる。
【００２５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００２６】
本発明は、テレビ、ラジオ、新聞、雑誌などのマスメディアと連動させることによって、Ｗｅｂサイトの価値を向上させる方法等を提供する点で有用である。
【図面の簡単な説明】
【００２７】
【図１】本発明の実施形態のＷｅｂサイト１の構成の一例を示す図
【図２】Ｗｅｂサイト１のトップページの一例を示す図
【図３】映像コンテンツ閲覧サービスを提供するためのページの一例を示す図
【図４】社長検索サービスを提供するためのページの一例を示す図
【図５】ＦＡＱサービスを提供するためのページの一例を示す図
【符号の説明】
【００２８】
１  Ｗｅｂサイト
２  映像コンテンツデータベース
３  社長データベース
４  質問データベース
５  回答データベース
６  映像コンテンツ閲覧サービス
７  社長検索サービス
８  ＦＡＱサービス
９  ネットワーク
【図１】
2008009783.tif 000003
【図２】
2008009783.tif 000004
【図３】
2008009783.tif 000005
【図４】
2008009783.tif 000006
【図５】
2008009783.tif 000007